(57)【要約】【課題】  メダル類を一対の回転ブラシの重なって交差するブラシ毛先端部間に通過させてメダル類の表面を清掃・研磨させる技術において、メダル類の表面の凹凸に付着したゴミ等をブラシ毛でよく掻き出して剥離力の高い研磨装置を提供する。【解決手段】  対向した回転ブラシ（２１，２２）又は（２３，２４）のブラシ毛（４１，４２）又は（４３，４４）の先端の回転軌跡の重なる部分の深さδを２〜５ｍｍの範囲にすることで、特に２．０〜３．０ｍｍとすることでメダル類の表面の汚れがかなり除去できるようになる。  更に、対の回転ブラシ２１〜２４の間のメダル搬送路１の上下にメダルガイド５１，５２を配置し、加えて回転ブラシの回転軌跡内に挿入されるメダルガイド５１，５２の三角形状の突出部６１１，６１２，６２１，６２２を設けるとブラシ毛に付着するゴミ類をよく剥離して、外周空気中にゴミ類を放出できて清掃・研磨力が更に高まる。【選択図】図１２
2017144189.tif 000002
【特許請求の範囲】
【請求項１】
メダル又はコインのメダル類の搬送路に沿って、搬送されるメダル類の上面又は下面の表面に接触してメダル類の表面を清掃する一対の対向した回転ブラシを１組又は複数組列設するとともに、前記回転ブラシの先端のメダル類がない場合の回転軌跡が所要の深さで互に重なるように近接し、且つ各回転ブラシの回転方向を接触するメダル類が搬送方向に送られるように互に逆方向に回転させる回動手段と、回転ブラシでメダル類の表面から剥離・分離したゴミ・汚れ又は微細片を負圧で吸引する吸引装置とを備えたメダル類の研磨装置に於いて、
対向する回転ブラシの回転中心を結ぶライン上での回転ブラシの先端回転軌跡の重なり部分の深さδを、２．０〜５．０ｍｍとしたことを特徴とする、メダル類の研磨装置。
【請求項２】
回転ブラシの先端の回転軌跡の重なり部分の深さδを３．０〜４．０ｍｍとした、請求項１記載のメダル類の研磨装置。
【請求項３】
メダル類の前記搬送路に沿って設けられた対向した前記回転ブラシの送出側位置にメダル類の前記搬送路の搬送方向からの外れを規制する一対のメダルガイドを設けた、請求項１又は２記載のメダル類の研磨装置。
【請求項４】
対向する回転ブラシが前記搬送路に沿って複数組あり、対向する回転ブラシの組間に設けられた前記メダルガイドの搬送路の搬送方向と直交する前端に沿って前方の回転ブラシのブラシ毛の回転軌跡内に挿入されるように前方に向って前端から突出した前方突出部を所定間隔でもって複数設け、又前記メダルガイドの後端に沿って後方の回転ブラシのブラシ毛の回転軌跡内に挿入されるように後端から後方に向って突出した後方突出部を所定間隔でもって複数設け、メダルガイドの前後端の前方突出部と後方突出部とが前後の回転ブラシのブラシ毛と接触してブラシ毛に付着したゴミ・汚れ又は微細片を削ぎ取り且つブラシ毛に振動を与えてゴミ・汚れ又は微細片の分離・剥離を高めたことを特徴とする、請求項３記載のメダル類の研磨装置。
【請求項５】
前記前方突出部及び後方突出部の形状が三角形状である、請求項４記載のメダル類の研磨装置。
【請求項６】
メダル類の前記搬送路の最下流に位置する対向する回転ブラシの送出側に設けたメダル類の排出方向を誘導する対向した一対の排出シュートを設け、同排出シュートのシュート前端から前記最下流の回転ブラシのブラシ毛の先端の回転軌跡内まで挿入するように前記前端の一部を所定間隔で延伸させた延伸部を複数設けた、請求項１〜５いずれか記載のメダル類の研磨装置。
【請求項７】
搬送路の上流側にある最初の一対の回転ブラシの前方の搬送路に設けた一対のメダルガイド板の後端を、対向している回転ブラシのブラシ毛の回転軌跡内に所定長さ挿入するように延伸した延伸部を回転ブラシの回転軸方向に所要ピッチで設けるようにした、請求項４〜６いずれか記載のメダル類の研磨装置。
【請求項８】
回転ブラシのブラシ毛の先端部に接触してブラシ毛先端部を砥石研磨する砥石板を弾支した、請求項１〜７いずれか記載のメダル類の研磨装置。
【請求項９】
吸引装置の吸引口がある側と搬送路を挟んで反対側となる位置から回転ブラシのブラシ毛に向って陰イオンを放出するイオン放出装置を設けた、請求項１〜８いずれか記載のメダル類の研磨装置。
【請求項１０】
イオン放出装置の陰イオンの放出口の近くに回転ブラシに向って大気の空気を送り込む空気送り込みファンを設けた、請求項９記載のメダル類の研磨装置。
【発明の詳細な説明】
【技術分野】
【０００１】
本発明は、遊技機に使用される１．６ｍｍ程の厚みのメダル又は硬貨のメダル類の表面を回転ブラシで清掃・研磨して、その表面に付着したゴミ・汚れ・微細片を剥離・分離して、これらを負圧で吸引して排除するメダル類の研磨装置に関する。
【背景技術】
【０００２】
メダル類の研磨装置として、メダル類の搬送路の上下に回転ブラシを対向配置し、各回転ブラシの弾性あるブラシ毛をメダル類の上面・下面と接触させて、メダル類の表面にブラシ毛の回転とブラシ毛の弾性によってブラシ毛先端部を撓うように当てて擦って表面に付着したゴミ・汚れ・微細片を表面から剥離し、又これらを分離回収するメダルの研磨装置として広く使用されている。この先行技術は、特許文献１で示されている。
【０００３】
遊技機に使用されるメダルは１．６ｍｍ程の厚みがあり、その上面・下面には店名のマークの文字・記号等が刻設されている。硬貨も表面に文字・記号・図形が刻設されている。
【０００４】
メダルの表面には文字・記号・図形の刻みの微細な凹凸があり、ここに手汗・汚れ・ゴミ・微細片が付着して清掃を難しくしている。又、ブラシ毛に付着したゴミ・汚れ・微細片がブラシ毛に付着したままとなり、ブラシ毛からの分離・吸引捕捉が難しいという問題点があった。
【０００５】
この回転ブラシの研磨装置で、そのブラシ毛が短いとメダル類の表面の凸部の研磨はよくできるが、凹所の底面、特に凹所の隅のゴミ・汚れ・微細片のブラシ毛による剥離・掻き出しが不充分となる。又、ブラシ毛が長いと、ブラシ毛の先端部がメダル表面に沿って横になって、凹所の内部の洗滌が不完全となっていた。
【０００６】
更に、上記の回転ブラシで剥離・分離されたゴミ・汚れ・微細片を負圧吸引装置で吸引してフィルターで捕捉して排除できるようにした技術も公知で、例えば特許文献２で示されている。
【先行技術文献】
【特許文献】
【０００７】
【特許文献１】特開２０１１−６７２５７号公報
【特許文献２】特開平１１−２０７０１６号公報
【発明の概要】
【発明が解決しようとする課題】
【０００８】
本発明が解決しようとする課題は、従来の回転ブラシ毛による研磨の不充分となるメダル類の表面の微細な凹凸に付着したゴミ・汚れ・微細片をブラシ毛により掻き出し、剥離を確実にして回転ブラシによるメダル類の清掃力・研磨力を高いものにすることにある。更に、ブラシ毛に付着したゴミ・汚れ・微細片をブラシ毛から剥がして確実にこれらを除去して吸引・捕捉し、これらがメダル類に再付着しないようにしてブラシ毛による清掃力を長時間保持することにある。
【課題を解決するための手段】
【０００９】
かかる課題を解決した本発明の構成は、
１）  メダル又はコインのメダル類の搬送路に沿って、搬送されるメダル類の上面又は下面の表面に接触してメダル類の表面を清掃する一対の対向した回転ブラシを１組又は複数組列設するとともに、前記回転ブラシの先端のメダル類がない場合の回転軌跡が所要の深さで互に重なるように近接し、且つ各回転ブラシの回転方向を接触するメダル類が搬送方向に送られるように互に逆方向に回転させる回動手段と、回転ブラシでメダル類の表面から剥離・分離したゴミ・汚れ又は微細片を負圧で吸引する吸引装置とを備えたメダル類の研磨装置に於いて、
対向する回転ブラシの回転中心を結ぶライン上での回転ブラシの先端回転軌跡の重なり部分の深さδを、２．０〜５．０ｍｍとしたことを特徴とする、メダル類の研磨装置
２）  回転ブラシの先端の回転軌跡の重なり部分の深さδを３．０〜４．０ｍｍとした、前記１）記載のメダル類の研磨装置
３）  メダル類の前記搬送路に沿って設けられた対向した前記回転ブラシの送出側位置にメダル類の前記搬送路の搬送方向からの外れを規制する一対のメダルガイドを設けた、前記１）又は２）記載のメダル類の研磨装置
４）  対向する回転ブラシが前記搬送路に沿って複数組あり、対向する回転ブラシの組間に設けられた前記メダルガイドの搬送路の搬送方向と直交する前端に沿って前方の回転ブラシのブラシ毛の回転軌跡内に挿入されるように前方に向って前端から突出した前方突出部を所定間隔でもって複数設け、又前記メダルガイドの後端に沿って後方の回転ブラシのブラシ毛の回転軌跡内に挿入されるように後端から後方に向って突出した後方突出部を所定間隔でもって複数設け、メダルガイドの前後端の前方突出部と後方突出部とが前後の回転ブラシのブラシ毛と接触してブラシ毛に付着したゴミ・汚れ又は微細片を削ぎ取り且つブラシ毛に振動を与えてゴミ・汚れ又は微細片の分離・剥離を高めたことを特徴とする、前記３）記載のメダル類の研磨装置
５）  前記前方突出部及び後方突出部の形状が三角形状である、前記４）記載のメダル類の研磨装置
６）  メダル類の前記搬送路の最下流に位置する対向する回転ブラシの送出側に設けたメダル類の排出方向を誘導する対向した一対の排出シュートを設け、同排出シュートのシュート前端から前記最下流の回転ブラシのブラシ毛の先端の回転軌跡内まで挿入するように前記前端の一部を所定間隔で延伸させた延伸部を複数設けた、前記１）〜５）いずれか記載のメダル類の研磨装置
７）  搬送路の上流側にある最初の一対の回転ブラシの前方の搬送路に設けた一対のメダルガイド板の後端を、対向している回転ブラシのブラシ毛の回転軌跡内に所定長さ挿入するように延伸した延伸部を回転ブラシの回転軸方向に所要ピッチで設けるようにした、前記４）〜６）いずれか記載のメダル類の研磨装置
８）  回転ブラシのブラシ毛の先端部に接触してブラシ毛先端部を砥石研磨する砥石板を弾支した、前記１）〜７）いずれか記載のメダル類の研磨装置
９）  吸引装置の吸引口がある側と搬送路を挟んで反対側となる位置から回転ブラシのブラシ毛に向って陰イオンを放出するイオン放出装置を設けた、前記１）〜８）いずれか記載のメダル類の研磨装置
１０）  イオン放出装置の陰イオンの放出口の近くに回転ブラシに向って大気の空気を送り込む空気送り込みファンを設けた、前記９）記載のメダル類の研磨装置
にある。
【発明の効果】
【００１０】
本発明によれば、対向する回転ブラシのブラシ毛の回転軌跡の重なり部分の深さδを２．０〜５．０ｍｍに設定したことで、ブラシ毛の先端がメダル類の表面の凹所の底面及び凹所の隅に刺き差し込むように当り、メダル類の搬送及びブラシ毛の回転及びブラシ毛の弾性によって凹所・その隅にある汚れ・ゴミ・微細片をブラシ毛の先端で掻き出すようになり、メダル類の表面の汚れが「かなり除去できる」程度の評価となって、重なり部分の深さδが上記範囲より低い場合に比べ、汚れの除去の評価はかなり高いものとなり、又深さδが５．０ｍｍを超えるとブラシ毛の先端部が表面に沿って横に添うようになってブラシ毛の先端が表面凸所・凹所底面・凹所隅に刺り込むように当らなくなり、汚れの除去能力が低下する。本発明では深さδを２．０〜５．０ｍｍとすることで、汚れがよく除去できるものとした。
【００１１】
この汚れ除去はその深さδが３．０〜４．０ｍｍが最も最適となり、「かなり除去」から「ほとんど汚れが除去」の評価となるものとなる。又、δが２．０〜４．０ｍｍとなるのが次に好ましい範囲であった。
【００１２】
又、回転ブラシの送出位置に、メダル類の搬送方向からの外れの規制する一対のメダルガイドを設けることで、対向する回転ブラシで研磨されて送出されるメダル類が搬送方向から外れて上向き・下向き等になるのを搬送路を挟むように対向した一対のメダルガイドが規制して搬送路から逸脱するのを防止し、円滑にメダル類の対向した回転ブラシの間を通過できるようにしている。
【００１３】
更に、このメダルガイド又は排出シュートに回転ブラシのブラシ毛の先端の回転軌跡内へ挿入されるように前方突出部、後方突出部又は延伸部を設けることで、これら突出部と延伸部が回転ブラシの回転軌跡内に挿入され、回転ブラシと接触して、回転ブラシのブラシ毛に付着しているゴミ・汚れ・微細片をブラシ毛から強制的に剥離・分離して、負圧吸引力で吸引して捕捉できるようにし、ブラシ毛に付着したゴミ・汚れ・微細片がメダル類に再付着したり、ブラシ毛に付着したままとなり、回転ブラシの清掃力を低下するのを防いでいる。
【００１４】
回転ブラシ毛がメダル類（通常金属製）の表面と接触してブラシ毛がメダル表面を擦ると静電気が発生し、これが剥離したゴミ・汚れ・微細片をブラシ毛やメダル類に再付着させて、空気吸引によってこれらを吸引できにくくし、ゴミ等の除去を阻害していた。
本発明で、回転ブラシに向けて陰イオンを放出する陰イオン放出装置を有するものでは、イオン力でブラシ毛に付着しているゴミ・汚れ・微細片をイオン（静電気）の中和を行ってブラシ毛からの分離を良好にでき、よってこれらの吸引・捕捉を確実にしている。
【００１５】
回転ブラシのブラシ毛の先端を砥石板に接触する構造のものでは、回転ブラシのブラシ毛の先端を尖らすことができ、これによってブラシ毛の先端によるメダル類表面のゴミ・汚れ・微細片の剥離力を高めた。又、ブラシ毛の先端に付着したこれらのゴミ等を剥離できるものとなるので好ましい。
【図面の簡単な説明】
【００１６】
【図１】図１は実施例１の全体構造を示す構造説明図である。
【図２】図２は実施例１の分解斜視図である。
【図３】図３は実施例１の回転ブラシの回動手段を示す説明図である。
【図４】図４は実施例１のメダル研磨状態を示す説明図である。
【図５】図５は実施例１の回転ブラシの側面図である。
【図６】図６は実施例１の回転ブラシの正面図である。
【図７】図７は実施例１の回転ブラシのブラシ毛の先端部の重なりを示す説明図である。
【図８】図８は実施例１の回転ブラシのブラシ毛によるメダル研磨の状態を示す説明図である。
【図９】図９は実施例１で使用したメダル汚れの検査器具の構造の説明図である。
【図１０】図１０は実施例１でのメダル汚れ検査器具によって汚れ検査体の汚れとその評価を示す説明図である。
【図１１】図１１は実施例２の全体構造を示す構造説明図である。
【図１２】図１２は実施例２のメダルガイドと排出シュートの配置とそれらの回転ブラシの回転軌跡への挿入状態を示す説明図である。
【図１３】図１３は実施例２のメダルガイド及び排出シュートの形状を示す拡大斜視図である。
【図１４】図１４は実施例２のメダルガイド及び排出シュートの突出部と延伸部を示す拡大断面図である。
【図１５】図１５は実施例２の下側回転ブラシと対向したメダルガイドと排出シュートの配置を示す説明図である。
【図１６】図１６は実施例２のメダルガイド板・メダルガイド及び排出シュートの突出部・延伸部の他の形態例を示す斜視図である。
【図１７】図１７は砥石板を使用した実施例３の全体構造を示す構造説明図である。
【図１８】図１８は実施例３の砥石板の弾支構造を示す説明図である。
【図１９】図１９は実施例３のブラシ研磨状態を示す説明図である。
【図２０】図２０は実施例３のメダル研磨状態の説明図である。
【図２１】図２１はイオン放出装置に送気ファンを取付けた実施例４の全体構造を示す説明図である。
【図２２】図２２は実施例４の分解斜視図である。
【図２３】図２３は実施例４の動作状態を示す説明図である。
【発明を実施するための形態】
【００１７】
又、本発明では請求項２〜８に示すような対向するメダルガイドを有する形態、同メダルガイドと排出シュートに前方・後方の突出部又は延伸部を設ける形態、陰イオン放出装置を設ける形態、更にそれらに送気ファンを付加する構造の形態は本発明の基本の請求項１記載の発明に上記形態構造の組み合せを付加することもでき、より発明の研磨効果を高めることができる。
【実施例】
【００１８】
以下、本発明の実施例として、図１〜１０に示す実施例１と、図１１〜１６に示す実施例２と、図１７〜２０に示す実施例３と、図２１〜２３に示す実施例４とを図面に基づいて説明する。
いずれの実施例も、遊技店で使用する直径２５ｍｍで厚み１．６ｍｍ程のメダルを対象とする研磨装置で、メダルの表面（上面，下面）には店名、店名を示す図形・記号・マークが刻印されていて、１ｍｍ以下の微小な凹凸が形成されている。
【００１９】
図１〜１０に示す実施例１は請求項１，２，３及びこれを引用する請求項９の発明の実施例であって、本発明の基本的な実施例であり、突出部・延伸部がない上下に対向するメダルガイドと、上下に対向する排出シュートを有し、又微粒子水にマイナス（負）イオンを帯電させた陰イオン粒子を放出する陰イオン放出装置を備えた例で、上下対向した回転ブラシの重なり部分の深さδは２．０〜４．０ｍｍの寸法のもので、比較対照として回転ブラシの重なり部分の深さ２．０ｍｍより小さい場合と４．０ｍｍより大きく超えた回転ブラシを用意し、汚れの除去の深さδの寸法の影響の比較試験を行った例である。研磨後のメダルの汚れの検査は図９に示す検査器具を使用し、図１０に示すような汚れ検査体の汚れを目視で評価した例である。
【００２０】
図１１〜１６に示す実施例２では、実施例１において対向した各メダルガイドに三角形状の前方・後方の突出部を設け、又対向した排出シュートの前端に延伸部を設けた請求項４，５を引用した請求項６の発明の実施例であり、図１６は実施例２においてその突出部をメダルガイド板にも取付け、且つその突出部と延伸部とのピッチを異にした形態の例を示すものである。
【００２１】
図１７〜２０に示す実施例３では、前記実施例１において回転ブラシのブラシ毛の先端を尖鋭にする砥石板を各回転ブラシに対し、ブラシ毛先端が接触するように弾支した実施例である。
【００２２】
図２１〜２３に示す実施例４は、実施例１において陰イオン放出装置に近接して放出した陰イオンを送風ファンの空気流によって回転ブラシの方向に強制送りし、イオンによる中和を確実にするため、及びゴミ・汚れ・微細片が下方の吸引方向に送り易くするために、送風ファンを回転ブラシの上方に設けた例である。
【００２３】
尚、本発明は実施例１〜４の例示の組み合せ構成に限るものでなく、それ以外に請求項２〜９の特徴的構成の種々の組み合せでも含むものである。
【００２４】
以下、実施例１〜４の図面の符号について説明する。
Ｇ１は実施例１のメダル類の研磨装置、Ｇ２は実施例２のメダル類の研磨装置、Ｇ３は実施例３のメダル類の研磨装置、Ｇ４は実施例４のメダル類の研磨装置を示す。ｍはメダル、δは対向する回転ブラシ（２１，２２），（２３，２４）のブラシ毛（４１，４２），ブラシ毛（４３，４４）の重なり部分の深さの長さを示す。
図中１はメダルｍの搬送路、２１，２２，２３，２４は互に上下に対向した外径３８ｍｍ程の回転ブラシ、３１，３２，３３，３４は各回転ブラシ２１，２２，２３，２４の回転軸、４１，４２，４３，４４は各回転ブラシ２１，２２，２３，２４のナイロン製ブラシ毛、５１，５２は対向して設けたメダルガイド、５１１，５１２はメダルガイド５１の前端，後端、５２１，５２２はメダルガイド５２の前端，後端、６１１，６１２は同メダルガイド５１の前端５１１又は後端５１２から３ｍｍ程突出させた前方突出部，後方突出部、６２１，６２２はメダルガイド５２の前端５２１又は後端５２２から突出させた前方突出部，後方突出部、７１，７２は回転ブラシ２３，２４の後方に設けた上下対向させた排出シュート、７１１，７２１は排出シュート７１の前端，排出シュート７２の前端、８１は同排出シュート７１の前端７１１から回転ブラシ２２，２３のブラシ毛の回転軌跡内へ延伸した延伸部、８２は同排出シュート７２の前端７２１から回転ブラシ２４のブラシ毛の回転軌跡内に挿入するように延伸させた延伸部である。
【００２５】
又、９１〜９８は回転ブラシ２１〜２４の回動機構の構成部分であり、９１，９２，９３，９４は各回転軸３１，３２，３３，３４の軸端に取付けた連動ギアであり、上下の連動ギア（９１，９２），（９３，９４）は互に噛合している。９５，９６は回転軸３２，３４に軸着したタイミングベルト用歯車、９７は回転ブラシ２１，２２，２３，２４を回動させるモータ、９８は同モータの出力軸に軸着したタイミングベルト用歯車、９９は歯車９５，９６，９８を連動させる伝動用タイミングベルトである。１０は回転ブラシがある研磨部を形成する上方ケーシング、１０１は上方ケーシングの天井部に設けた通気スリット、１１は回転ブラシがある研磨部を形成する下方ケーシング、１２は吸引装置、１２１は吸引装置の下方ケーシング１１の底面に設けた吸引口、１２２は吸引口１２１に接続された吸引管、１２３は吸引管１２２の途中に設けた負圧を発生させる送気ファン、１２４は送気ファン１２３の前の吸引管１２２の内部に設けたゴミ・汚れ・微細片を捕捉するフィルター袋、１３は吸引管１２２に接続された空気を大気に放出する排気管、１４は微粒子水に負の電荷が帯電された陰イオンを放出する陰イオン放出装置、１４１は同陰イオン放出装置の陰イオンを発生させ且つ陰イオンのイオン濃度（負の電荷量値）を回転ブラシの静電気の帯電量に応じて調整できる陰イオン発生部、１４２は陰イオン発生部１４１で発生させた陰イオンを上方ケーシング１０内に放出するイオン放出管、２０はメダルｍを一次的に清掃・研磨する水平回転式一次研磨部、２１は同一次研磨部の回転盤、２１１は回転盤２１の外周部に環状に垂直なブラシ毛を植毛した環状の回転ブラシ部、２１２は回転盤２１の円形の中央部、２２は回転盤２１の回転軸、２３は同回転軸２２の下部に取付けたベルト車、２４は回転盤２１を回動させるモータ、２５は同モータの出力軸に軸着したベルト車、２６はベルト車２３，２５を伝動させる伝動ベルト、２７は一次研磨部のケーシング、２７１は上方から落下させるメダルｍの投入口、２７２は環状の回転ブラシ部２１１上のメダルｍを搬送路１へ吐出する吐出口、２７３は吐出口２７２の上下を規制するメダルガイド板、２７４は同メダルガイド板２７３の前端から回転ブラシ２１，２２に向けて三角形状に延伸した延伸部、２８は回転盤２１の環状ブラシ部２１１の上方のケーシングの一部に下方に向けてブラシ毛を植毛した固定環状ブラシ部である。
【００２６】
３０は回転ブラシ２１，２２，２３，２４のブラシ毛４１，４２，４３，４４の先端を尖鋭にする砥石板、３０１はその接触面の砥石層、３０２は砥石板を支持する進退軸、３０３は砥石板３０を回転ブラシの方向に付勢するスプリング、３０４は砥石板３０の取付固定板、４０は陰イオン放出管１４２の近くの上方ケーシング１０に設けた陰イオンを回転ブラシ方向に誘導する送気ファンである。５０は汚れの検査器具、５１は同検査器具５０の下枠、５２は同下枠に蝶着した上枠、５２１は上枠５２と下枠５１との蝶着部、５２２は上枠５２と下枠５１の閉状態をロックできる開閉ロックバンドである。５３は１５ｍｍ×５０ｍｍ×６ｍｍのスポンジ製の細長の汚れ検査体、５４は同汚れ検査体を動かないように拘束する汚れ検査体固定片、５４２は拘束片、５５は汚れ検査体の上面に研磨されたメダルｍを押圧して回転させるゴム製の回転加圧部、５６は同回転加圧部を下端に取付け、上枠５２に回転自在に軸支されたメダル回転操作軸、５７は同メダル回転操作軸５６の軸頭に取付けたハンドル、５８は回転加圧部を下方に付勢するスプリングである。
【００２７】
（実施例１の構造）
図１〜１０に示す実施例１は本発明の基本的な構造であって、上下一対の対向した回転ブラシ２１，２２と対向した回転ブラシ２３，２４との２組の間の搬送路１を挟むように水平な上下対向したメダルガイド５１，５２及び上下対向した排出シュート７１，７２を設け、又上下対向した回転ブラシ（２１，２２），（２３，２４）の回転ブラシの重なり部分の長さδを０，１．０，２．０，３．０，４．０ｍｍ，４．０ｍｍ以上にブラシ毛４１〜４４の長さを変えることで調整可能として、長さδの研磨力への影響を試験できるようにしている。この実施例１のメダルガイド５１，５２，排出シュート７１，７２には前方突出部６１１，後方突出部及び延伸部８１，８２は有していない。又、回転ブラシ２１，２２，２３，２４を囲む下方ケーシング１１と上方ケーシング１０の研磨空間の上方から陰イオン発生部１４１で発生させた陰イオンを下方の回転ブラシ２１，２２，２３，２４の方向に放出している。
【００２８】
回転ブラシ２１〜２４の回転は、モータ９７を作動させてタイミングベルト９９を送って歯車９５，９６を回動させ、その回転軸３２，３４に軸着した下方の連動ギア９２，９４を回動し、同連動ギアに噛み合っている上方の連動ギア９１，９３を回動させることで、回転軸３１〜３４を回転させ、同回転軸に軸着した回転ブラシ２１〜２４を上下互に逆方向でメダルｍの送る方向に回転させるようにしている。
【００２９】
更に、実施例１では上記対向した回転ブラシ２１〜２４による研磨の前に、水平な回転盤２１へ使用済みメダルｍを投入し、外周部分の上下面の回転ブラシ部２１１と固定環状ブラシ部２８によって、メダルｍの１次研磨を行うようにしている。
【００３０】
（実施例１の動作）
使用されて汚れたメダルｍは、水平回転式一次研磨部２０の投入口２７１へ投入されて回転盤２１の円状の中央部２１２上へ落下される。同中央部２１２へ落下したメダルｍは回転盤２１の高速回転による遠心力を受け、回転盤２１の外周方向に回転しながら移動し、回転ブラシ部２１１と上方の固定環状ブラシ部２８との間の上下のブラシ先端間に進入し、回転力と遠心力と上下のブラシ毛による抵抗とから螺旋状に外周方向に移動し、回転盤の外周枠に到って、同外周枠に沿って回転してその吐出口２７２から上下対向のメダルガイド板２７３に案内されて搬送路１へ移動していく。このメダルｍの回転ブラシ部２１１と固定環状ブラシ部２８との間のブラシ毛によってメダルｍは清掃・研磨され、一次清掃と研磨がなされて吐出口２７２から搬送路１へ送られていく。
【００３１】
搬送路１へ送られたメダルｍは上下対向の回転ブラシ２１，２２のブラシ毛４１，４２の重なり部分の中間の搬送路１に沿って送られる（図７参照）。メダルｍの上面に回転ブラシ２１のブラシ毛４１の先端部が刺し込むように且つ若干撓った状態で接触する（図８参照）。このような状態で回転するブラシ毛４１は搬送路１に沿って所要速度で移動しているメダルｍの表面を清掃と研磨を行う。ブラシ毛の毛先端がメダルｍの微細な凹凸の平面・それらの隅部に刺し込んで、これらに付着しているゴミ・汚れ・微細片をその回転力・弾性力又はメダル移動速度でもって掻き出し、外方へ飛散させる。メダルｍの裏面（下面）も下方の回転ブラシ２２によって同様にメダル裏面をブラシ毛４２によって清掃・研磨する。又、メダルｍは回転ブラシ２１，２２のブラシ毛４１，４２の回転力とブラシ摩擦力によって図中左方向の搬送方向へ送り出される。
【００３２】
回転ブラシ２１，２２を通過したメダルｍは回転ブラシ２１，２２からの力で上方向又は下方向に移動方向が変られる場合が発生しても、上下一対のメダルガイド５１，５２によってメダルｍが搬送路１から上方向に飛び出し、又は下方への落下方向になるのを規制し、搬送路１に沿ってメダルｍを送るようにする。
【００３３】
これらのメダルガイド５１，５２で規制されて搬送方向に送られると、次の組の回転ブラシ２３，２４のブラシ毛４３，４４の中間位置へ送り込まれ、前記同様に同ブラシ毛４３，４４によってメダルｍの表面（上面）・裏面（下面）を清掃・研磨する。この２組目の回転ブラシ２３，２４で清掃・研磨されると、排出シュート７１，７２に規制されて排出される。
【００３４】
これら回転ブラシ（２１，２２），（２３，２４）のナイロン製のブラシ毛同志の摩擦によって、及びブラシ毛４１，４２，４３，４４と金属製メダルｍとの摩擦によって静電気が発生しがちであるが、本願陰イオン放出装置１４の陰イオン発生部で発生した陰イオンがイオン放出管１４２から回転ブラシ２１〜２４及びメダルｍに向けて放出されることで、ブラシ毛４１〜４４及びメダルｍに発生した静電気を陰イオンによって中和して、ゴミ・汚れ・微細片・粉が静電気によってブラシ毛４１〜４４及びメダルｍに付着したままになること及び再付着することを抑止し、ゴミ・汚れ・微細片・粉の空中への飛散、ブラシ毛・メダルｍからの剥離することを促す。これによって、吸引装置１２によって確実に吸引・除去ができるようになる。
【００３５】
このように、回転ブラシ２１〜２４でメダルｍの表面・凹凸の隅・凹部の底面に付着したゴミ・汚れ・微細片・粉等をブラシ毛４１〜４４によって剥離・分離し、空気中へ飛散させる。
そして、状態で吸引装置１２を作動させる。送気ファン１２３によって吸引管１２２を介して吸引口に負圧を発生し、空気とともに空気中に飛散されたゴミ・汚れ・微細片・粉を吸引口１２１へ吸引し、吸引管１２２を介して送り、フィルター袋１２４で捕捉して多く貯れば袋ごと排出させて、清浄化された空気のみ放出させるようにしている。
【００３６】
尚、上方ケーシング１０の天井面には通気スリット１０１を設けていて、吸引口１２１からの吸引して空気を排出する分、この通気スリット１０１から室内の空気を導入している。この通気スリット１０１からの空気流で陰イオンは回転ブラシ２１〜２４へ移動して、静電気の中和を確実にしている。
【００３７】
対向する回転ブラシ毛の重なり部分の長さδによる清掃・研磨力の影響の試験について説明する。実施例１の回転ブラシ（２１，２２），（２３，２４）とのブラシ毛の重なり部分の長さδを０．０，１．０，２．０，３．０，４．０ｍｍと設定を変えて、排出シュート７１，７２を介して研磨したメダルｍの汚れ具合を検査して評価するようにした。同じような汚れ方をした使用済みのメダルｍの１０枚を同じ長さδの設定の０．０，１．０，２．０，３．０，４．０ｍｍの長さで研磨して、ワイピングレベル評価の検査器具５０での検査の為に使用した。各δの長さでの１０枚の研磨したメダルｍをスポンジ状の小さな細長の直方体の汚れ検査体５３上に置いてメダルｍを回転させてメダルｍに付着した汚れを汚れ検査体５３に擦りつけ、５種類のδの長さでの汚れ検査体５３の汚れ具合を目視で評価して、メダルｍの清掃・研磨されているレベルを評価した。評価レベルは下記表１のようにして５段階目視評価を行った。
【００３８】
【表１】
2017144189.tif 000003
【００３９】
（汚れ検査の器具の説明）
メダルを研磨した後のメダル表面に残留したゴミ・汚れ・微細片の付着状態を検査する器具として、図９，１０に示す検査器具５０と、メダルの表面に付着した汚れ等をメダル表面から拭き取ってその拭き取った汚れの具合からメダルの残留汚れを検定するスポンジ製の汚れ検査体５３を使用する。図１０にワイピングレベル評価の汚れ検査体５３の汚れ具合の評価レベル１〜５とその汚れ具合を示している。
【００４０】
検査器具５０は図９に示すように小型の器具で金属性の下枠５１の一端に上枠５２を蝶着部５２１で開閉自在とし、それをロックできる開閉ロックバンド５２２で閉状態に保持できるようになっている。
この下枠５１には、細長のスポンジ製の汚れ検査体５３の左右と前後が動かないように拘束する汚れ検査体固定片５４を設けている。又、汚れ検査体５３の上面中央に載せて検査するメダルが左右にスライドせず水平回転可能に保持する左右の拘束片５４２を有している。
又、この上枠５２の中央にはメダル回転操作軸５６が上枠５２の面に直角に貫通するように設けられ、同メダル回転操作軸５６の軸下端にはゴム製の回転加圧部５５が固着され、同回転加圧部５５と上枠５２の天井面との間にはスプリング５８が設けられている。更に、メダル回転操作軸５６の上端の軸頭にはメダル回転操作軸５６を回動させるハンドル５７が取付けられている。又、上枠５２の下面から垂設された一対の汚れ検査体押圧片（図示せず）がある。
【００４１】
（汚れ検査の器具による汚れ検査方法について）
まず、下枠５１の中央にある汚れ検査体固定片５４内側に細長の１５ｍｍ×５０ｍｍ×厚み６ｍｍのスポンジ製の新品の汚れ検査体５３をセットする。セットされた汚れ検査体５３の上に汚れ検査するメダルｍを載せて拘束片５４２で左右移動を止める。このようにして、上枠５２を閉じて開閉ロックバンド５２２で閉じた状態で保持する。この状態で前後左右対向して設けた汚れ検査体固定片５４と拘束片５４２で拘束し、上枠５２から垂設した汚れ検査体押圧片（図示せず）でスポンジ製汚れ検査体の前後左右を押えて汚れ検査体５３を動かないようにしている。そして、検査するメダルをこの上に載せる。
【００４２】
次に、メダル回転操作軸５６の軸頭のハンドル５７を手で押し下げてメダルｍを汚れ検査体５３に押し付けるようにしてハンドル５７を回動させると、ゴム製の回転加圧部５５がメダルｍを汚れ検査体５３に押し付け、それを回転することで回転するメダルｍの下面の汚れが汚れ検査体５３に移って汚れ検査体５３の表面を汚す。ハンドル５７を所定回数廻してメダルを回転させる。これを同じ長さδで研磨された１０枚のメダルｍで繰り返して、汚れ検査体５３に研磨された後のメダルｍの汚れを移して目視で汚れ検査体５３の最終の汚れ状態を観測することで、本発明のメダル研磨装置の研磨性能を確認した。
【００４３】
本発明では、同じ程度の汚れたメダルｍを回転ブラシ２１〜２４のブラシ毛の重なりの長さδを０．０〜４．０ｍｍの１．０ｍｍ単位で調整して、各δの長さで研磨した１０枚のメダルｍを上記汚れの検査器具５０で汚れ検査体５３に汚れを作ってそれらを目視で比較して、長さδと汚れ除去の関係を測定した。汚れを表１の如くレベル１〜５に分けて目視でしかもそのレベルを複数人の目視検査人で評価し、その平均値で汚れ具合を評価した。
【００４４】
上記実施例１のメダル類の研磨装置でもって、上記ブラシ毛の重なり部分の長さδに対する汚れの評価は、結果として下記表２の如くなった。
【００４５】
【表２】
2017144189.tif 000004
【００４６】
このように、実施例１では回転ブラシ２１〜２４の重なり部の長さδ（ラップ代）が、２．０〜４．０ｍｍにおいてはレベル３の「有る程度汚れが除去されている」の評価からレベル１の「ほとんど汚れが除去されている」評価に近いレベル２の「かなり汚れが除去されている」の評価であり、δが５．０でも汚れの除去の連続性があると思われるのでδが２．０ｍｍ相当のレベルと推定でき、レベル３より良いと推定され、汚れ除去が良好と判断された。特に、δの長さが３．０〜４．０ｍｍではレベル１に近いレベル２程であり、汚れの除去が優れていたことが分った。
【００４７】
（実施例２）
図１１〜１６に示す実施例２は、実施例１において対向した上下の一対の各メダルガイド５１，５２の前端５１１及び後端５１２から対向している回転ブラシ２１，２２，２３，２４に向って三角形状の前方突出部６１１と後方突出部６１２を張り出している。その前方・後方の突出部６１１，６１２の張り出しの長さｔは前端５１１，後端５１２から３ｍｍ程である。又、上下一対の排出シュート７１，７２にも延伸の長さｔが３ｍｍである三角形状の延伸部８１，８２を回転ブラシ２３，２４に向けて排出シュート７１，７２の前端７１１，７２１から延伸させた例である。他の構造は実施例１と同じである。
【００４８】
このように、実施例２ではメダルガイド５１，５２の３ｍｍの前方突出部６１１，後方突出部６１２及び排出シュート７１，７２の前端７１１，７２１から３ｍｍ程延長させた延伸部８１，８２を回転ブラシ２１，２２，２３，２４のブラシ毛４１，４２，４３，４４の回転軌跡内に挿入している（図１２，１４参照）。
実施例２では、ブラシ毛４１〜４４の先端部はメダルガイド５１，５２の前方・後方突出部６１１，６１２，６２１，６２２又は延伸部８１，８２と接触する。
これによって、ブラシ毛４１〜４４の先端部はこれら前方・後方突出部６１１，６１２，６２１，６２２又は延伸部８１，８２との接触して、ブラシ毛４１〜４４の先端部に付着したゴミ・汚れ・微細片はこれら突出部６１１，６１２，６２１，６２２と延伸部８１，８２によって強制的に剥がされてブラシ毛４１〜４４から分離する。
【００４９】
又、ブラシ毛４１〜４４は三角形状をした前方・後方突出部６１１，６１２，６２１，６２２によって又は延伸部８１，８２によって回転ブラシ２１〜２４の回転軸３１〜３４の軸方向にブラシ毛を分けてブラシ毛４１〜４４を軸方向に振動させ、これによってブラシ毛４１〜４４に付着したゴミ・汚れ・微細片を振って空気中へ分離・放出させる。又、軸方向に振動するブラシ毛４１〜４４によってメダルｍ表面を軸方向の研磨力を与える。ゴミ等を回転方向の前後ばかりでなくこれと直角の軸方向へも掻き出し、撥き出しもなされ、ゴミ等の空気中への分離・放出を効果的にする。尚、空気中に分離・放出したゴミ等は実施例１と同じように吸引装置１２によって空気とともに吸引口１２１へ吸引されて排除される。
【００５０】
又、図１６には実施例２の他の形態例を示している。この図１６の例では、上流側の上対対にある各メダルガイド板２７３の後端にも回転ブラシ２１，２２の回転軌跡内に挿入する三角形状に突出した延伸部２７４を設けている。更に、メダルガイド板２７３の延伸部２７４と排出シュート７１，７２の三角形状の延伸部８１，８２の長手方向に沿ってのピッチ間隔は短い。メダルガイド５１，５２に突出した前方突出部６１１，６２１，後方突出部６１２，６２２の長手方向に沿ってのピッチ間隔は長くなっていて、延伸部８１，８２，２７４のものの約２倍のピッチ間隔にしている。
【００５１】
この図１６の例では、前記図１２〜１５の実施例２の構造の効果に加え、回転ブラシ２１，２２のブラシ毛４１，４２はメダルガイド板２７３の延伸部２７４と接触して、ブラシ毛４１，４２に付着しているゴミ・汚れ・微粒子片等を掻き離して分離し、又ブラシ毛４１，４２と延伸部２７４との接触によってブラシ毛４１，４２に振動を与えてゴミ等の付着物の分離・空気中への放出効果を高めていて、ゴミ等の回収を効果的にし、再付着を少なくしている。
【００５２】
更に、図１６の例ではメダルガイド板２７３の三角形状の延伸部２７４及び排出シュート７１，７２の三角形状の延伸部８１，８２のピッチは短く、その中間にあるメダルガイド５１，５２の前方・後方の三角形状の突出部６１１，６１２，６２１，６２２のピッチは長く、前記延伸部２７４，８１，８２の２倍の長さのピッチ（間隔）があるので、回転ブラシ２１，２２，２３，２４のブラシ毛４１〜４４の延伸部８１，８２，２７４との接触位置と突出部６１１，６１２，６２１，６２２との接触位置が異なっているので、回転ブラシのブラシ毛を片寄ることなく隈なく接触し、しかもブラシ毛の回転ブラシの回転軸方向への異なった周波数の振動が発生して変動することとなり、上記のブラシ毛と延伸部８１，８２，２７４と突出部６１１，６１２，６２１，６２２との接触による剥離・分離効果を更に高めるようになっている。
【００５３】
（実施例３）
図１７〜２０に示す実施例３は、実施例１において回転ブラシ２１〜２４のブラシ毛４１〜４４の先端を砥石板３０の砥石層と接触させてブラシ毛４１〜４４の先端を尖鋭にして、微細なメダル表面の凹凸に対して刺し込むようにして、ゴミ等の掻き出し力・凹部の隅のゴミ等の掻き出しを効果的にする。この砥石板３０は回転ブラシ２１〜２４方向へスプリング３０３で付勢されることで、砥石によるブラシ先研磨を確実にして、ブラシ毛４１〜４４の研磨力を高く維持することができる例である。
この構造は、実施例１の他の実施例２にも適用できる。
【００５４】
（実施例４）
図２１〜２３に示す実施例４は、実施例１と同じく陰イオン放出装置１４を使用しているが、実施例４では陰イオン放出装置１４のイオン放出管１４２から放出される陰イオンを上方ケーシング１０に取付けた２台の送気ファンで発生させる空気流によって回転ブラシ２１〜２４へ強制的に送って、ブラシ毛４１〜４４及びメダルｍへ陰イオンを確実に送りつけて、ブラシ毛４１〜４４及びメダルｍを隈なく中和し、又摩擦で発生する静電気を確実に中和し、静電気でゴミ・汚れ・微細片がブラシ毛・メダルｍ表面に付着することを強く抑止し、ゴミ等が空気中に放出・飛散し易くするとともに、ゴミ等を送気ファン４０の空気流でゴミ等を吸引口１２１へ誘導し、ゴミ等の吸引・排除を確実にする例である。
【００５５】
尚、実施例４のメダルガイド５１，５２には実施例１の前方・後方突出部６１１，６１２及び排出シュート７１，７２、メダルガイド板２７３には延伸部８１，８２，２７４はないが、実施例２の如くメダルガイド５１，５２及び排出シュート７１，７２、メダルガイド板２７３に前方・後方突出部６１１，６１２，延伸部８１，８２，２７４を設けることもできる。及び、実施例３の砥石を回転ブラシ毛の先端部と接触させる組み合せでも有効である。
【産業上の利用可能性】
【００５６】
本発明は、遊技店に使うメダルを中心に説明したが、自動販売機に使用した硬貨や、交通機関使用の為のキップ購入のキップ発行機で使用された硬貨の研磨・清掃にも使用できる。
【符号の説明】
【００５７】
Ｇ１，Ｇ２，Ｇ３，Ｇ４    実施例１，２，３，４のメダル類の研磨装置
ｍ    メダル
δ    回転ブラシの重なり部分の長さ
ｔ    前方・後方突出部又は延伸部の長さ
１    搬送路
２１，２２，２３，２４    回転ブラシ
３１，３２，３３，３４    回転軸
４１，４２，４３，４４    ブラシ毛
５１，５２    メダルガイド
５１１    前端
５１２    後端
６１１，６２１    前方突出部
６１２，６２２    後方突出部
７１，７２    排出シュート
７１１，７２１    前端
８１，８２    延伸部
９１，９２，９３，９４    連動ギア
９５，９６    歯車
９７    モータ
９８    歯車
９９    タイミングベルト
１０    上方ケーシング
１０１    通気スリット
１１    下方ケーシング
１２    吸引装置
１２１    吸引口
１２２    吸引管
１２３    送気ファン
１２４    フィルター袋
１３    排気管
１４    陰イオン放出装置
１４１    陰イオン発生部
１４２    イオン放出管
２０    水平回転式一次研磨部
２１    回転盤
２１１    回転ブラシ部
２１２    中央部
２２    回転軸
２３，２５    ベルト車
２４    モータ
２６    伝動ベルト
２７    ケーシング
２７１    投入口
２７２    吐出口
２７３    メダルガイド板
２７４    延伸部
２８    固定環状ブラシ部
３０    砥石板
３０１    砥石層
３０２    進退軸
３０３    スプリング
３０４    取付固定板
４０    送気ファン
５０    検査器具
５１    下枠
５２    上枠
５２１    上枠５２を下枠５１に蝶着する蝶番
５２２    開閉ロックバンド
５３    汚れ検査体
５４    汚れ検査体固定片
５４２    拘束片
５５    回転加圧部
５６    メダル回転操作軸
５７    ハンドル
５８    スプリング
【図１】
2017144189.tif 000005
【図２】
2017144189.tif 000006
【図３】
2017144189.tif 000007
【図４】
2017144189.tif 000008
【図５】
2017144189.tif 000009
【図６】
2017144189.tif 000010
【図７】
2017144189.tif 000011
【図８】
2017144189.tif 000012
【図９】
2017144189.tif 000013
【図１０】
2017144189.tif 000014
【図１１】
2017144189.tif 000015
【図１２】
2017144189.tif 000016
【図１３】
2017144189.tif 000017
【図１４】
2017144189.tif 000018
【図１５】
2017144189.tif 000019
【図１６】
2017144189.tif 000020
【図１７】
2017144189.tif 000021
【図１８】
2017144189.tif 000022
【図１９】
2017144189.tif 000023
【図２０】
2017144189.tif 000024
【図２１】
2017144189.tif 000025
【図２２】
2017144189.tif 000026
【図２３】
2017144189.tif 000027